(57)【要約】【課題】記憶装置の空き容量に応じて、電子ファイルを適切に特定のデータ形式に変換することができる表示装置、データ変換方法およびデータ変換プログラムを提供する。【解決手段】携帯端末では、メモリカードに記憶されている他のデータ形式の電子ファイルが取得されると（Ｓ５１）その電子ファイルを特定のデータ形式に変換したときの予測ファイルサイズが算出される（Ｓ５３）。予測ファイルサイズがメモリカード３０の空き容量以下である場合（Ｓ５５：ＹＥＳ）、電子ファイルが特定のデータ形式に変換されて、その変換済ファイルがメモリカードに記憶され（Ｓ５７）、変換元の電子ファイルがメモリカードから削除される。【選択図】図５
2010272017.tif 000002
【特許請求の範囲】
【請求項１】
特定のデータ形式の電子ファイルを表示する表示装置であって、
前記特定のデータ形式とは異なるデータ形式の未対応データを記憶する第一記憶装置から、前記未対応データを取得する未対応データ取得手段と、
前記未対応データ取得手段によって取得された前記未対応データを前記特定のデータ形式の電子ファイルに変換したときのデータサイズである変換後サイズを算出する変換後サイズ算出手段と、
前記変換後サイズ算出手段によって算出された前記変換後サイズが、第二記憶装置の空き容量以下であるか否かを判断する第一容量判断手段と、
前記第一容量判断手段によって前記変換後サイズが前記第二記憶装置の空き容量以下であると判断された場合、前記未対応データ取得手段によって取得された前記未対応データを前記特定のデータ形式の電子ファイルに変換する変換手段と、
前記変換手段によって変換された前記特定のデータ形式の電子ファイルを、前記第二記憶装置に記憶させる変換データ記憶制御手段と
を備えたことを特徴とする表示装置。
【請求項２】
前記第一記憶装置および前記第二記憶装置は、一の共通記憶装置であって、
前記未対応データ取得手段は、前記共通記憶装置に記憶されている前記未対応データを所定数取得し、
前記変換後サイズ算出手段は、前記未対応データ取得手段によって前記所定数の未対応データが取得されるごとに、その前記所定数の未対応データを前記特定のデータ形式の電子ファイルに変換したときの前記変換後サイズを算出し、
前記表示装置は、
前記未対応データ取得手段によって取得された前記所定数の未対応データについて、前記変換手段による変換が完了したか否かを判断する完了判断手段と、
前記完了判断手段によって前記変換手段による変換が完了したと判断された場合に、その変換が完了した前記所定数の未対応データを前記共通記憶装置から削除する第一削除手段とを備え、
さらに、前記未対応データ取得手段は、前記第一削除手段によって前記所定数の未対応データが削除された場合に、前記共通記憶装置からの次の前記未対応データの取得を行うことを特徴とする請求項１に記載の表示装置。
【請求項３】
前記共通記憶装置は、複数の機器に着脱自在な外部記憶装置であり、
前記表示装置は、さらに前記外部記憶装置を着脱可能な装着手段を備えたことを特徴とする請求項２に記載の表示装置。
【請求項４】
前記未対応データ取得手段は、前記第一記憶装置に記憶されている前記未対応データのうち、データサイズが最も大きい前記未対応データを優先して取得することを特徴とする請求項２または３に記載の表示装置。
【請求項５】
前記未対応データ取得手段は、前記第一容量判断手段によって前記変換後サイズが前記第二記憶装置の空き容量よりも大きいと判断された場合、現在取得されている前記未対応データに次いでデータサイズが大きい前記未対応データを優先して取得することを特徴とする請求項４に記載の表示装置。
【請求項６】
前記未対応データは、所定単位で構成された複数の部分データを含み、
前記変換手段は、前記未対応データに含まれる前記複数の部分データを一つずつ前記特定のデータ形式に変換して、その変換によって作成された変換済部分データを前記第二記憶装置に記憶させることによって前記特定のデータ形式の電子ファイルを作成するものであって、
前記変換手段によって前記変換済部分データが作成されるごとに、前記第二記憶装置にその前記変換済部分データを記憶可能な空き容量があるか否かを判断する第二容量判断手段と、
前記第二容量判断手段によって前記変換済部分データを記憶可能な空き容量がないと判断された場合、前記第二記憶装置に記憶されている前記変換済部分データを削除する第二削除手段と
を備えたことを特徴とする請求項１乃至５のいずれかに記載の表示装置。
【請求項７】
前記未対応データは、ページ単位で構成された複数のデータをそれぞれ示すファイルデータを含み、
前記変換後サイズ算出手段は、前記未対応データに含まれる前記ファイルデータの数量に対応するページ数に基づいて、前記未対応データを前記特定のデータ形式の電子ファイルに変換したときの前記変換後サイズを算出することを特徴とする請求項１乃至６のいずれかに記載の表示装置。
【請求項８】
前記完了判断手段によって前記変換手段による変換が完了したと判断された場合、前記第二記憶装置に記憶された前記電子ファイルを選択可能に表示する変換済ファイル表示制御手段を備えたことを特徴とする請求項２乃至５のいずれかに記載の表示装置。
【請求項９】
特定のデータ形式の電子ファイルを表示する表示装置において、前記特定のデータ形式とは異なるデータ形式の未対応データを、前記特定のデータ形式の電子ファイルに変換するデータ変換方法であって、
前記未対応データを記憶する第一記憶装置から、前記未対応データを取得する未対応データ取得ステップと、
前記未対応データ取得ステップによって取得された前記未対応データを前記特定のデータ形式の電子ファイルに変換したときのデータサイズである変換後サイズを算出する変換後サイズ算出ステップと、
前記変換後サイズ算出ステップによって算出された前記変換後サイズが、第二記憶装置の空き容量以下であるか否かを判断する第一容量判断ステップと、
前記第一容量判断ステップによって前記変換後サイズが前記第二記憶装置の空き容量以下であると判断された場合、前記未対応データ取得ステップによって取得された前記未対応データを前記特定のデータ形式の電子ファイルに変換する変換ステップと、
前記変換ステップによって変換された前記特定のデータ形式の電子ファイルを、前記第二記憶装置に記憶させる変換データ記憶制御ステップと
を備えたことを特徴とするデータ変換方法。
【請求項１０】
特定のデータ形式の電子ファイルを表示する表示装置に用いられ、前記特定のデータ形式とは異なるデータ形式の未対応データを、前記特定のデータ形式の電子ファイルに変換するデータ変換プログラムであって、
コンピュータに、
前記未対応データを記憶する第一記憶装置から、前記未対応データを取得する未対応データ取得ステップと、
前記未対応データ取得ステップによって取得された前記未対応データを前記特定のデータ形式の電子ファイルに変換したときのデータサイズである変換後サイズを算出する変換後サイズ算出ステップと、
前記変換後サイズ算出ステップによって算出された前記変換後サイズが、第二記憶装置の空き容量以下であるか否かを判断する第一容量判断ステップと、
前記第一容量判断ステップによって前記変換後サイズが前記第二記憶装置の空き容量以下であると判断された場合、前記未対応データ取得ステップによって取得された前記未対応データを前記特定のデータ形式の電子ファイルに変換する変換ステップと、
前記変換ステップによって変換された前記特定のデータ形式の電子ファイルを、前記第二記憶装置に記憶させる変換データ記憶制御ステップと
を実行させることを特徴とするデータ変換プログラム。
【発明の詳細な説明】
【技術分野】
【０００１】
本発明は、特定のデータ形式の電子ファイルを表示する表示装置、ならびに、その表示装置に用いられるデータ変換方法およびデータ変換プログラムに関する。
【背景技術】
【０００２】
従来、特定のデータ形式の電子ファイルを表示する表示装置が知られている。このような表示装置に対して、特定のデータ形式とは異なる他のデータ形式で表された電子ファイルも表示させたいというユーザの要望がある。そこで、パーソナルコンピュータ等の機器で、電子ファイルを特定のデータ形式に変換し、変換済みの電子ファイルを表示装置に処理させることが行われている（例えば、特許文献１及び２参照）。
【先行技術文献】
【特許文献】
【０００３】
【特許文献１】特開２００６−６５２０４号公報
【特許文献２】特開２００９−３１８７８号公報
【発明の概要】
【発明が解決しようとする課題】
【０００４】
しかしながら、このような従来の方法によると、表示装置にて他のデータ形式の電子ファイルを表示させたい場合には、その電子ファイルを特定のデータ形式に変換可能な機器を使用しなければならず、面倒であった。また、電子ファイルを特定のデータ形式に変換した場合に、メモリカードや内蔵メモリなどの記憶装置に変換済みの電子ファイルを書込み可能な空き容量がなければ、その電子ファイルを削除することとなり変換処理が無駄となるおそれがあった。
【０００５】
本発明は上記課題を解決するためになされたものであり、記憶装置の空き容量に応じて、電子ファイルを適切に特定のデータ形式に変換することができる表示装置、データ変換方法およびデータ変換プログラムを提供することを目的とする。
【課題を解決するための手段】
【０００６】
上記課題を解決するために、請求項１に係る発明の表示装置は、特定のデータ形式の電子ファイルを表示する表示装置であって、前記特定のデータ形式とは異なるデータ形式の未対応データを記憶する第一記憶装置から、前記未対応データを取得する未対応データ取得手段と、前記未対応データ取得手段によって取得された前記未対応データを前記特定のデータ形式の電子ファイルに変換したときのデータサイズである変換後サイズを算出する変換後サイズ算出手段と、前記変換後サイズ算出手段によって算出された前記変換後サイズが、第二記憶装置の空き容量以下であるか否かを判断する第一容量判断手段と、前記第一容量判断手段によって前記変換後サイズが前記第二記憶装置の空き容量以下であると判断された場合、前記未対応データ取得手段によって取得された前記未対応データを前記特定のデータ形式の電子ファイルに変換する変換手段と、前記変換手段によって変換された前記特定のデータ形式の電子ファイルを、前記第二記憶装置に記憶させる変換データ記憶制御手段とを備えている。
【０００７】
請求項２に係る発明の表示装置は、請求項１に記載の発明の構成に加えて、前記第一記憶装置および前記第二記憶装置は、一の共通記憶装置であって、前記未対応データ取得手段は、前記共通記憶装置に記憶されている前記未対応データを所定数取得し、前記変換後サイズ算出手段は、前記未対応データ取得手段によって前記所定数の未対応データが取得されるごとに、その前記所定数の未対応データを前記特定のデータ形式の電子ファイルに変換したときの前記変換後サイズを算出し、前記表示装置は、前記未対応データ取得手段によって取得された前記所定数の未対応データについて、前記変換手段による変換が完了したか否かを判断する完了判断手段と、前記完了判断手段によって前記変換手段による変換が完了したと判断された場合に、その変換が完了した前記所定数の未対応データを前記共通記憶装置から削除する第一削除手段とを備え、さらに、前記未対応データ取得手段は、前記第一削除手段によって前記所定数の未対応データが削除された場合に、前記共通記憶装置からの次の前記未対応データの取得を行うことを特徴とする。
【０００８】
請求項３に係る発明の表示装置は、請求項２に記載の発明の構成に加えて、前記共通記憶装置は、複数の機器に着脱自在な外部記憶装置であり、前記表示装置は、さらに前記外部記憶装置を着脱可能な装着手段を備えている。
【０００９】
請求項４に係る発明の表示装置は、請求項２または３に記載の発明の構成に加えて、前記未対応データ取得手段は、前記第一記憶装置に記憶されている前記未対応データのうち、データサイズが最も大きい前記未対応データを優先して取得することを特徴とする。
【００１０】
請求項５に係る発明の表示装置は、請求項４に記載の発明の構成に加えて、前記未対応データ取得手段は、前記第一容量判断手段によって前記変換後サイズが前記第二記憶装置の空き容量よりも大きいと判断された場合、現在取得されている前記未対応データに次いでデータサイズが大きい前記未対応データを優先して取得することを特徴とする。
【００１１】
請求項６に係る発明の表示装置は、請求項１乃至５のいずれかに記載の発明の構成に加えて、前記未対応データは、所定単位で構成された複数の部分データを含み、前記変換手段は、前記未対応データに含まれる前記複数の部分データを一つずつ前記特定のデータ形式に変換して、その変換によって作成された変換済部分データを前記第二記憶装置に記憶させることによって前記特定のデータ形式の電子ファイルを作成するものであって、前記変換手段によって前記変換済部分データが作成されるごとに、前記第二記憶装置にその前記変換済部分データを記憶可能な空き容量があるか否かを判断する第二容量判断手段と、前記第二容量判断手段によって前記変換済部分データを記憶可能な空き容量がないと判断された場合、前記第二記憶装置に記憶されている前記変換済部分データを削除する第二削除手段とを備えている。
【００１２】
請求項７に係る発明の表示装置は、請求項１乃至６のいずれかに記載の発明の構成に加えて、前記未対応データは、ページ単位で構成された複数のデータをそれぞれ示すファイルデータを含み、前記変換後サイズ算出手段は、前記未対応データに含まれる前記ファイルデータの数量に対応するページ数に基づいて、前記未対応データを前記特定のデータ形式の電子ファイルに変換したときの前記変換後サイズを算出することを特徴とする。
【００１３】
請求項８に係る発明の表示装置は、請求項２乃至５のいずれかに記載の発明の構成に加えて、前記完了判断手段によって前記変換手段による変換が完了したと判断された場合、前記第二記憶装置に記憶された前記電子ファイルを選択可能に表示する変換済ファイル表示制御手段を備えている。
【００１４】
請求項９に係る発明のデータ変換方法は、特定のデータ形式の電子ファイルを表示する表示装置において、前記特定のデータ形式とは異なるデータ形式の未対応データを、前記特定のデータ形式の電子ファイルに変換するデータ変換方法であって、前記未対応データを記憶する第一記憶装置から、前記未対応データを取得する未対応データ取得ステップと、前記未対応データ取得ステップによって取得された前記未対応データを前記特定のデータ形式の電子ファイルに変換したときのデータサイズである変換後サイズを算出する変換後サイズ算出ステップと、前記変換後サイズ算出ステップによって算出された前記変換後サイズが、第二記憶装置の空き容量以下であるか否かを判断する第一容量判断ステップと、前記第一容量判断ステップによって前記変換後サイズが前記第二記憶装置の空き容量以下であると判断された場合、前記未対応データ取得ステップによって取得された前記未対応データを前記特定のデータ形式の電子ファイルに変換する変換ステップと、前記変換ステップによって変換された前記特定のデータ形式の電子ファイルを、前記第二記憶装置に記憶させる変換データ記憶制御ステップとを備えている。
【００１５】
請求項１０に係る発明のデータ変換プログラムは、特定のデータ形式の電子ファイルを表示する表示装置に用いられ、前記特定のデータ形式とは異なるデータ形式の未対応データを、前記特定のデータ形式の電子ファイルに変換するデータ変換プログラムであって、コンピュータに、前記未対応データを記憶する第一記憶装置から、前記未対応データを取得する未対応データ取得ステップと、前記未対応データ取得ステップによって取得された前記未対応データを前記特定のデータ形式の電子ファイルに変換したときのデータサイズである変換後サイズを算出する変換後サイズ算出ステップと、前記変換後サイズ算出ステップによって算出された前記変換後サイズが、第二記憶装置の空き容量以下であるか否かを判断する第一容量判断ステップと、前記第一容量判断ステップによって前記変換後サイズが前記第二記憶装置の空き容量以下であると判断された場合、前記未対応データ取得ステップによって取得された前記未対応データを前記特定のデータ形式の電子ファイルに変換する変換ステップと、前記変換ステップによって変換された前記特定のデータ形式の電子ファイルを、前記第二記憶装置に記憶させる変換データ記憶制御ステップとを実行させることを特徴とする。
【発明の効果】
【００１６】
請求項１に係る発明の表示装置では、第一記憶装置から取得された未対応データを特定のデータ形式の電子ファイルに変換したときのデータサイズである変換後サイズが算出される。その変換後サイズが第二記憶装置の空き容量以下である場合、未対応データが特定のデータ形式の電子ファイルに変換されて、その電子ファイルが第二記憶装置に記憶される。これによれば、未対応データを特定のデータ形式の電子ファイルに変換したにも拘らず、その電子ファイルを第二記憶装置に記憶させることができなくなる不具合の発生を抑制することができる。
【００１７】
請求項２に係る発明の表示装置では、第一記憶装置および第二記憶装置は一の共通記憶装置であって、共通記憶装置に記憶されている未対応データのうち、未取得の未対応データが所定数取得されるごとに、その未対応データの変換後サイズが算出される。取得された未対応データが、特定のデータ形式に変換される。その変換が完了すると、変換が完了した未対応データは共通記憶装置から削除され、共通記憶装置からの次の未対応データの取得が行われる。これによれば、請求項１に係る発明の効果に加えて、共通記憶装置に記憶されている未対応データが所定数ずつ取得されるごとに、その未対応データを変換した電子ファイルを第二記憶装置に記憶可能か否かが判断されるので、第二記憶装置の空き容量を最大限に活用してより多数の未対応データを変換することができる。また、変換済みの未対応データを共通記憶装置から削除して次の未対応データの変換を行うため、共通記憶装置において特定のデータ形式の電子ファイルが記憶される空き容量を確保することができる。
【００１８】
請求項３に係る発明の表示装置では、共通記憶装置は複数の機器に着脱自在な外部記憶装置であり、表示装置はその外部記憶装置を着脱可能である。これによれば、請求項２に係る発明の効果に加えて、外部記憶装置に変換前の未対応データおよび変換後の電子ファイルが記憶されるので、表示装置自体にこれらを記憶するための記憶装置を備える必要がなく、表示装置の構成を簡易にして薄型・軽量化を実現することができる。
【００１９】
請求項４に係る発明の表示装置では、第一記憶装置に記憶されている未対応データのうちでデータサイズが最も大きいものから取得される。これによれば、請求項２または３に係る発明の効果に加えて、変換後サイズが最も大きくなる可能性が高い未対応データが優先的に変換されるので、その変換後の電子ファイルを第二記憶装置に記憶させることができなくなる不具合の発生を抑制することができる。
【００２０】
請求項５に係る発明の表示装置では、変換後サイズが第二記憶装置の空き容量よりも大きいと判断された場合、現在取得されている未対応データに次いでデータサイズが大きい未対応データが取得される。これによれば、請求項４に係る発明の効果に加えて、現在取得されている未対応データの変換後サイズが第二記憶装置の空き容量よりも大きい場合でも、次に取得される未対応データの変換後サイズが第二記憶装置の空き容量よりも小さくなる可能性を高めることができる。
【００２１】
請求項６に係る発明の表示装置では、未対応データは所定単位で構成された複数の部分データを含む。未対応データに含まれる複数の部分データが一つずつ特定のデータ形式に変換されて、その変換済部分データによって特定のデータ形式の電子ファイルが作成される。そして、変換済部分データが作成されるごとに、第二記憶装置にその変換済部分データを記憶可能な空き容量があるか否かを判断され、空き容量がない場合には第二記憶装置から変換済部分データが削除される。これによれば、請求項１乃至５のいずれかに係る発明の効果に加えて、第二記憶装置に不完全な変換済ファイルが記憶されるのを防止できるとともに、第二記憶装置の空き容量を確保することができる。
【００２２】
請求項７に係る発明の表示装置では、未対応データは、ページ単位で構成された複数のデータをそれぞれ示すファイルデータを含む。未対応データに含まれるファイルデータの数量に対応するページ数に基づいて変換後サイズが算出される。これによれば、請求項１乃至６のいずれかに係る発明の効果に加えて、未対応データの変換後サイズを簡易な処理で算出することができる。
【００２３】
請求項８に係る発明の表示装置では、特定のデータ形式の電子ファイルへの変換が完了した場合、第二記憶装置に記憶された電子ファイルを選択可能に表示される。これによれば、請求項２乃至５のいずれかに係る発明の効果に加えて、ユーザは変換が完了した電子ファイルを把握できるとともに、任意の電子ファイルを選択して表示や編集等を行うことができる。
【００２４】
請求項９に係る発明のデータ変換方法では、第一記憶装置から取得された未対応データを特定のデータ形式の電子ファイルに変換したときのデータサイズである変換後サイズが算出される。その変換後サイズが第二記憶装置の空き容量以下である場合、未対応データが特定のデータ形式の電子ファイルに変換されて、その電子ファイルが第二記憶装置に記憶される。これによれば、未対応データを特定のデータ形式の電子ファイルに変換したにも拘らず、その電子ファイルを第二記憶装置に記憶させることができなくなる不具合の発生を抑制することができる。
【００２５】
請求項１０に係る発明のデータ変換プログラムでは、第一記憶装置から取得された未対応データを特定のデータ形式の電子ファイルに変換したときのデータサイズである変換後サイズが算出される。その変換後サイズが第二記憶装置の空き容量以下である場合、未対応データが特定のデータ形式の電子ファイルに変換されて、その電子ファイルが第二記憶装置に記憶される。これによれば、未対応データを特定のデータ形式の電子ファイルに変換したにも拘らず、その電子ファイルを第二記憶装置に記憶させることができなくなる不具合の発生を抑制することができる。
【図面の簡単な説明】
【００２６】
【図１】携帯端末１および複合機２が接続されたシステム構成図である。
【図２】携帯端末１の電気的構成を示すブロック図である。
【図３】メイン処理を示すフローチャートである。
【図４】変換中画面３１が表示された携帯端末１の正面図である。
【図５】データ変換処理を示すフローチャートである。
【図６】変換対象選択処理を示すフローチャートである。
【図７】メモリフル処理を示すフローチャートである。
【図８】メモリフル画面３２が表示された携帯端末１の正面図である。
【発明を実施するための形態】
【００２７】
以下、本発明を具体化した実施の形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２８】
本発明の一実施形態に係る携帯端末１について、図１〜図８を参照して説明する。本実施形態の携帯端末１は、ＵＳＢ（Ｕｎｉｖｅｒｓａｌ  Ｓｅｒｉａｌ  Ｂｕｓ）ケーブル９を介して、印刷装置、通信装置、電話機、ファクシミリ、スキャナおよびコピー機としての機能を有する複合機２に接続される。そして、複合機２から出力される電子ファイルに基づいて、携帯端末１にて画像表示が行われる場合を例示する。なお、本実施形態の電子ファイルは、複数ページで構成されるドキュメントを示すファイルデータであり、そのドキュメントを構成するページ数分の画像データ（つまり、ページ単位の画像を示す画像データ）によって構成されるものとする。
【００２９】
まず、図１を参照して、携帯端末１の物理的構成について説明する。携帯端末１は、電気泳動方式の表示パネル３を備えた軽量・薄型の携帯表示端末である。表示パネル３としては、電気泳動方式の表示パネルの他、軽量・薄型の反射型液晶などを適用可能である。電気泳動方式の表示パネルの基本原理は、プラスに帯電した白の電気泳動粒子とマイナスに帯電した黒の電気泳動粒子を、電気泳動によって表示液中を移動させて画像を白黒で形成する。
【００３０】
携帯端末１は、所定厚を有する平面視長方形状の板状に形成され、その上面に平面視長方形状の表示パネル３が形成されている。表示パネル３には、テキストや図表等から構成される種々のコンテンツが表示される。これらのコンテンツは、表示パネル３の表示面からユーザが視認可能となる。また図示しないが、携帯端末１の側面には、メモリカード３０（図２参照）を挿入するためのカードスロットや、ＵＳＢケーブル９が有するＵＳＢコネクタが着脱されるＵＳＢポートなどが設けられている。
【００３１】
表示パネル３の右側には、携帯端末１を操作するための操作部６が設けられている。操作部６は、電源キー６１、メニューキー６２、ドキュメント閉キー６３、拡大キー６４、ページ戻しキー６５、ページ送りキー６６、キャラクタキー６７を有している（図４および図８参照）。電源キー６１は、携帯端末１の電源をオン・オフするためのキーである。メニューキー６２は、携帯端末１の電子ファイル選択や機能設定などを行うためのメニュー画面を表示させるためのキーである。ドキュメント閉キー６３は、表示中の電子ファイルを閉じるためのキーである。拡大キー６４は、表示中の電子ファイルを拡大するためのキーである。ページ戻しキー６５およびページ送りキー６６は、それぞれ表示中の電子ファイルをページ戻しおよびページ送りするためのキーである。キャラクタキー６７は、各種情報の選択や入力を行うためのキーである。なお、電源キー６１の上側には、携帯端末１の作動状態をＬＥＤの発光パターン（発光色、点灯、点滅など）で示すＬＥＤ表示部７（図４および図８参照）が設けられている。
【００３２】
次に、図２を参照して、携帯端末１の電気的構成について説明する。携帯端末１の制御基板１０は、ＣＰＵ１１、ＲＯＭ１２、ＲＡＭ１３、ＥＥＰＲＯＭ１４、表示コントローラ１５、キーコントローラ１６、メモリカードＩ／Ｆ１７、ＵＳＢインタフェース（Ｉ／Ｆ）１８、電源コントローラ１９を有しており、これらの構成がバス８を介して接続されている。ＣＰＵ１１は、携帯端末１の制御を司る。ＲＯＭ１２は、携帯端末１を動作させる制御プログラムや、携帯端末１の動作に関わる設定情報を記憶する。ＲＡＭ１３は、各種データを一時的に記憶するメモリである。ＥＥＰＲＯＭ１４は、各種データを記憶する不揮発性メモリである。
【００３３】
表示コントローラ１５は、表示パネル３での画像表示を制御する。キーコントローラ１６は、操作部６でのキー操作を受け付ける。メモリカードＩ／Ｆ１７は、カードスロットに挿入されたメモリカード３０が接続されるとともに、そのメモリカード３０に対するデータの読出・書込を行う。ＵＳＢＩ／Ｆ１８は、先述のＵＳＢポートを有するとともに、ＵＳＢケーブル９を介して外部機器（ここでは、複合機２）との間でデータ送受を行う。電源コントローラ１９は、携帯端末１に内蔵されて電源を供給するバッテリ８０の充放電を制御したり、バッテリ８０の電池残量や電圧低下を検知したり、携帯端末１に供給する電圧を制御したりする。
【００３４】
本実施形態の携帯端末１では、携帯端末１自体に電子ファイルを保存することなく、メモリカード３０に記憶されている電子ファイル（詳細には、電子ファイルに含まれるページ単位の画像データ）に基づいて、表示パネル３に画像表示が行われる。そして、メモリカード３０には、以下に例示するような態様で複合機２から出力された電子ファイルが記憶されればよい。
【００３５】
例えば、複合機２のカードスロット（図示外）にメモリカード３０を挿入させておき、複合機２で紙媒体の画像読取等によって電子ファイルが取得された場合に、その電子ファイルをメモリカード３０に書き込ませる。そして、電子ファイルが記憶されたメモリカード３０を、複合機２から取り外して携帯端末１のカードスロットに挿入すればよい。これにより携帯端末１では、メモリカード３０に書き込まれた電子ファイルを読み出して画像表示を行うことができる。
【００３６】
また、複合機２で紙媒体の画像読取等によって電子ファイルが取得された場合に、その電子ファイルをＵＳＢケーブル９経由で複合機２から携帯端末１に転送させ、携帯端末１に挿入されているメモリカード３０に書き込ませてもよい。このような電子ファイルの転送・書込みは、複合機２が備える公知のスキャントゥメモリとよばれる機能（例えば、特開２００８−１８７４９５号公報を参照）などによって実現されればよい。この場合も、携帯端末１では、メモリカード３０に書き込まれた電子ファイルを読み出して画像表示を行うことができる。
【００３７】
なお、メモリカード３０は、携帯端末１での画像表示に用いられる電子ファイルのみならず、各種データを携行可能な汎用的な記憶媒体である。そのため、複合機２からメモリカード３０に電子ファイルが出力される場合、その電子ファイルはメモリカード３０の特定フォルダ内に記憶されるものとする。これにより、メモリカード３０に記憶されているデータのうちで、携帯端末１での画像表示に用いられる電子ファイルを、他のデータと明確に区別することが可能となる。
【００３８】
ただし、複合機２で取得される電子ファイルは、通常は多くの電子機器で閲覧表示できるような汎用的なデータ形式（例えば、ＰＤＦやＪＰＥＧなど）で作成される。一方、本実施形態の携帯端末１では、電気泳動方式での表示制御等が行われる携帯端末１に好適なデータ形式（以下、特定のデータ形式）の電子ファイルに基づいて画像表示が行われる。そのため、携帯端末１では、メモリカード３０に記憶されている電子ファイルが特定のデータ形式と異なる他のデータ形式の未対応データである場合は、その電子ファイルが画像表示する前に特定のデータ形式に変換されるが、詳細は後述する。
【００３９】
なお、本実施形態では、メモリカード３０に複数の電子ファイルが記憶されている場合、それらの電子ファイルが一つずつ選択されて特定のデータ形式に順次変換される。そのため、ＥＥＰＲＯＭ１４には、複数の電子ファイルのうちで変換対象を選択する優先順序を示す情報（以下、変換対象ファイル設定）が記憶されている。本実施形態では、変換対象ファイル設定として「メモリ優先」、「バッテリ優先」、「日時優先」、「進捗優先」が予め用意されているが、これらの詳細は別途後述する。そして、ユーザは任意のタイミングでメニューキー６２を押圧してメニュー画面を表示させて、このメニュー画面から変換対象ファイル設定として任意のものを指定可能である。なお、ユーザによって選択された変換対象ファイル設定はＥＥＰＲＯＭ１４に記憶される。以下では、ＥＥＰＲＯＭ１４に変換対象ファイル設定「メモリ優先」が設定されているものとして説明する。
【００４０】
以下では、図３〜図８を参照して、携帯端末１にて実行される各種処理について説明する。まず、図３を参照して、携帯端末１にて実行されるメイン処理について説明する。なお、図３に示すメイン処理は、電源キー６１がオンされると、ＲＯＭ１２に記憶されている制御プログラムに基づいて、ＣＰＵ１１によって実行される。
【００４１】
図３に示すように、メイン処理では、まず携帯端末１からＵＳＢケーブル９が抜かれたか否かが判断される（Ｓ１）。Ｓ１では、ＵＳＢＩ／Ｆ１８にＵＳＢケーブル９が接続されている場合に、そのＵＳＢケーブル９が接続されていない状態に変化したことが検出されると、携帯端末１からＵＳＢケーブル９が抜かれたと判断される（Ｓ１：ＹＥＳ）。一方、ＵＳＢＩ／Ｆ１８にＵＳＢケーブル９が接続されていない場合、または、ＵＳＢケーブル９が接続されている状態に変化がない場合は、携帯端末１からＵＳＢケーブル９が抜かれなかったと判断される（Ｓ１：ＮＯ）。
【００４２】
携帯端末１からＵＳＢケーブル９が抜かれなかった場合（Ｓ１：ＮＯ）、携帯端末１にメモリカード３０が新たに挿入されたか否かが判断される（Ｓ３）。Ｓ３では、メモリカードＩ／Ｆ１７にメモリカード３０が接続されていない場合に、メモリカード３０が接続された状態に変化したことが検出されると、携帯端末１にメモリカード３０が挿入されたと判断される（Ｓ３：ＹＥＳ）。一方、メモリカードＩ／Ｆ１７にメモリカード３０が接続されている場合、または、メモリカード３０が接続されていない状態に変化がない場合は、携帯端末１にメモリカード３０が挿入されなかったと判断される（Ｓ３：ＮＯ）。
【００４３】
携帯端末１からＵＳＢケーブル９が抜かれた場合は（Ｓ１：ＹＥＳ）、ＵＳＢケーブル９を介した電子ファイルの転送・書込みが行われた可能性がある。また、携帯端末１にメモリカード３０が挿入された場合は（Ｓ３：ＹＥＳ）、そのメモリカードにあらかじめ電子ファイルが書込まれている可能性がある。先述したように、携帯端末１での画像表示に用いられる電子ファイルは、メモリカード３０の特定フォルダ内に格納される。そこで、メモリカードＩ／Ｆ１７に接続されているメモリカード３０に特定フォルダがあるか否かが判断される（Ｓ５）。メモリカード３０に特定フォルダがある場合は（Ｓ５：ＹＥＳ）、特定フォルダ内に電子ファイルが格納されているか否かが判断される（Ｓ７）。
【００４４】
そして、特定フォルダ内に電子ファイルが格納されている場合は（Ｓ７：ＹＥＳ）、図４に例示するような変換中画面３１が表示パネル３に表示される（Ｓ９）。図４に示すように、変換中画面３１では、電子ファイルのデータ形式が変換中（以下、データ変換中）である旨が明示される。また、ＬＥＤ表示部７がデータ変換中に対応する特定パターンに発光制御され、操作部６でのキー操作が無効化される。
【００４５】
本実施形態では、所定の実行タイミング（ここでは、ＵＳＢケーブル９の抜脱あり、または、メモリカード３０の挿入あり）が検出されると、ユーザによる入力指示を要することなく、後述のように電子ファイルのデータ変換が内部的に実行される。そのため、データ変換の実行中にユーザが各種操作を行うと、電子ファイルの破損や携帯端末１の不具合等を生じるおそれがある。その点、データ変換の実行に際して変換中画面３１を表示したり、ＬＥＤ表示部７を特定パターンで発光させたりすることで、データ変換中である旨をユーザに認識させることができる。また、操作部６でのキー操作を無効化することで、データ変換中におけるユーザの誤操作を防止できる。
【００４６】
なお、携帯端末１にメモリカード３０が挿入されなかった場合は（Ｓ３：ＮＯ）、Ｓ１に戻って、ＵＳＢケーブル９の抜脱またはメモリカード３０の挿入が待ち受けられる（Ｓ１〜Ｓ３）。また、メモリカード３０に特定フォルダがない場合や（Ｓ５：ＮＯ）、特定フォルダに電子ファイルが格納されていない場合も（Ｓ７：ＮＯ）、同様にＳ１に戻る。
【００４７】
Ｓ９にて変換中画面が表示されたのち、特定フォルダ内に変換可能な電子ファイル（以下、変換可能ファイル）があるか否かが判断される（Ｓ１１）。Ｓ１１では、特定フォルダ内に記憶されている電子ファイルのうちで、特定のデータ形式に変換可能な汎用的なデータ形式（ここでは、ＰＤＦまたはＪＰＥＧ）の電子ファイルがあれば、変換可能ファイルありと判断される（Ｓ１１：ＹＥＳ）。特定フォルダ内に変換可能ファイルがある場合（Ｓ１１：ＹＥＳ）、その変換可能ファイルを特定のデータ形式に変換するデータ変換処理が実行される（Ｓ１３）。
【００４８】
図５に示すように、データ変換処理（Ｓ１３）では、まず特定フォルダ内に記憶されている変換可能ファイルのうちで、データ変換の対象となるファイル（以下、変換対象ファイル）を選択する変換対象選択処理が実行される（Ｓ５１）。
【００４９】
図６に示すように、変換対象選択処理（Ｓ５１）では、まずＥＥＰＲＯＭ１４に記憶されている変換対象ファイル設定が「メモリ優先」であるか否かが判断される（Ｓ１０１）。本実施形態では、変換対象ファイル設定があらかじめ「メモリ優先」に設定されているため（Ｓ１０１：ＹＥＳ）、変換対象ファイル設定「メモリ優先」に対応する優先順序で変換対象ファイルが選択される。すなわち、未選択の変換可能ファイルのうちでファイルサイズが大きいものが変換対象ファイルに選択される（Ｓ１０３）。「未選択の変換可能ファイル」は、特定フォルダ内に変換可能ファイルが複数格納されている場合に、変換対象選択処理（Ｓ５１）にて未だ変換対象ファイルとして選択されていない変換可能ファイルをいう。
【００５０】
一方、変換対象ファイル設定が「バッテリ優先」、「日時優先」、「進捗優先」である場合は、変換対象ファイル設定は「メモリ優先」でないため（Ｓ１０１：ＮＯ）、その変換対象ファイル設定に応じた優先順序で変換対象ファイルが選択される（Ｓ１０５）。具体的には、変換対象ファイル設定が「バッテリ優先」である場合は、未選択の変換可能ファイルのうちでファイルサイズが小さいものが変換対象ファイルに選択される。変換対象ファイル設定が「日時優先」では、未選択の変換可能ファイルのうちで登録日時が新しいものが変換対象ファイルに選択される。変換対象ファイル設定が「進捗優先」では、未選択の変換可能ファイルのうちで登録日時が古いものが変換対象ファイルに選択される。
【００５１】
なお、Ｓ１０３またはＳ１０５にて選択された変換対象ファイルは、その変換対象ファイルがメモリカード３０からＲＡＭ１３に読み込まれる。そして、データ変換処理（図５）に戻る。
【００５２】
図５に戻り、変換対象選択処理（Ｓ５１）にて変換対象ファイルに選択されると、その変換対象ファイルを特定のデータ形式に変換した場合の予測ファイルサイズが計算される（Ｓ５３）。Ｓ５３では、例えば変換対象ファイルに含まれる画像データの数量に、その変換対象ファイルのデータ形式を特定のデータ形式に変換したときのデータサイズの変換率を乗じて算出されればよい。本実施形態では、変換対象ファイルにページ単位の画像データ（ファイルデータ）が含まれているため、この画像データの数量（つまり、ドキュメントのページ数）にデータサイズの変換率を乗じて算出される。「データサイズの変換率」は、他のデータ形式ごとに特定のデータ形式に変換した場合の平均的なファイルサイズの増加率または減少率をあらかじめ実験や計算等で求めておけばよい。具体的には、ＪＰＥＧ形式の電子ファイルを特定のデータ形式に変換する場合のデータサイズの変換率は「７０％」、ＰＤＦ形式の電子ファイルを特定のデータ形式に変換する場合のデータサイズの変換率は「８５％」とするなどである。
【００５３】
次いで、Ｓ５３で算出された予測ファイルサイズが、メモリカード３０の空き容量以下であるか否かが判断される（Ｓ５５）。予測ファイルサイズがメモリカード３０の空き容量以下であれば（Ｓ５５：ＹＥＳ）、変換対象ファイルを他のデータ形式に変換した場合に、その変換済ファイルをメモリカード３０に書き込んでも空き容量不足が発生しないと予測される。そのため、ＲＡＭ１３に記憶されている変換対象ファイルに含まれる１ページ分の画像データが、ＲＡＭ１３上で特定のデータ形式に変換される（Ｓ５７）。そして、Ｓ５７にて変換された画像データが、メモリカード３０の空き領域に書き込まれて保存用フォルダに格納されるとともに、その変換済みの画像データをメモリカード３０に書き込めたか否が判断される（Ｓ５９）。
【００５４】
変換済みの画像データをメモリカード３０に書き込めた場合（Ｓ５９：ＹＥＳ）、変換対象ファイルに含まれる全ページの画像データを変換したか否かが判断される（Ｓ６１）。変換対象ファイルに含まれる画像データのうちで未変換のものがある場合は（Ｓ６１：ＮＯ）、Ｓ５７に戻って次ページに相当する画像データが、上記と同様に他のデータ形式に変換される。これにより、後述のメモリカード３０に書き込みできない状態（Ｓ５９：ＮＯ）にならない限り、Ｓ５７〜Ｓ６１が繰り返し実行されて、変換対象ファイルに含まれる画像データが順次変換される。
【００５５】
変換対象ファイルに含まれる全ページの画像データが変換された場合は（Ｓ６１：ＹＥＳ）、これら変換済みの画像データによって構成される変換済ファイルが、メモリカード３０の保存用フォルダに格納された状態となる。そして、メモリカード３０の特定フォルダに格納されている変換元の電子ファイル（つまり、変換対象ファイル）が削除されて（Ｓ６３）、メイン処理（図３）に戻る。これにより、メモリカード３０内にデータ形式が異なる同一の電子ファイルが重複記憶されないようにして、メモリカード３０の空き容量を確保することができるとともに、特定フォルダ内の電子ファイルが何度も変換される不具合を防止できる。
【００５６】
一方、予測ファイルサイズがメモリカード３０の空き容量よりも大きい場合（Ｓ５５：ＮＯ）、変換済ファイルを書き込んだ場合にメモリカード３０の空き容量不足が発生すると予想される。また、予測ファイルサイズがメモリカード３０の空き容量以下であっても（Ｓ５５：ＮＯ）、Ｓ５７にて画像データ単位でデータ変換を実行していく過程で、変換済みの画像データの総データサイズが予測ファイルサイズよりも大きくなり、メモリカード３０の空き容量が不足して変換済みの画像データを書き込めない場合がある（Ｓ５９：ＮＯ）。これらの場合は、以下のメモリフル処理が実行される（Ｓ６５）。
【００５７】
図７に示すように、メモリフル処理（Ｓ６５）では、まず変換途中の電子ファイルがあるか否かが判断される（Ｓ２０１）。具体的には、予測ファイルサイズがメモリカード３０の空き容量以下である場合（Ｓ５５：ＮＯ）はＳ５７のデータ変換が行われないため、変換途中の電子ファイルは存在しない（Ｓ６５：ＮＯ）。一方、変換済みの画像データを書き込めない場合（Ｓ５９：ＮＯ）には、Ｓ５７にて変換対象ファイルに含まれる画像データの一部が変換済みであるため、変換途中の電子ファイルが存在する（Ｓ６５：ＹＥＳ）。この場合は、変換途中の電子ファイル（つまり、変換済みの画像データ）がメモリカード３０の保存用フォルダから削除される（Ｓ２０３）。これにより、メモリカード３０に不完全な変換済ファイルが保存されることを防止して、メモリカード３０の空き容量を確保することができる。なお、メモリカード３０の特定フォルダに格納されている変換元の電子ファイル（つまり、変換対象ファイル）は削除されないので、メモリカード３０の空き容量を確保したのちに再度同一の電子ファイルをデータ変換することができる。
【００５８】
変換途中の電子ファイルがない場合（Ｓ２０１：ＮＯ）、または、変換途中の電子ファイルを削除された場合（Ｓ２０３）、ＥＥＰＲＯＭ１４を参照して変換対象ファイル設定が「メモリ優先」であるか否かが判断される（Ｓ２０５）。本実施形態では変換対象ファイル設定が「メモリ優先」であるため（Ｓ２０５：ＹＥＳ）、次いで未選択の変換可能ファイルが特定フォルダ内に存在しないか否かが判断される（Ｓ２０７）。未選択の変換可能ファイルが存在する場合（Ｓ２０７：ＮＯ）、ＲＡＭ１３の所定記憶エリアに「空き容量あり」が設定される（Ｓ２０９）。
【００５９】
先述したように「メモリ優先」である場合はファイルサイズが大きい順に変換可能ファイルが選択されるので、次に選択される変換可能ファイルは現在の変換対象ファイルよりもファイルサイズが小さくなる。そのため、メモリカード３０の空き容量が、現在の変換対象ファイルに基づく変換済ファイルを書き込むのに不足している場合でも、次の変換対象ファイルに基づく変換済ファイルの書込みには足りる可能性がある。そこで、変換対象ファイル設定が「メモリ優先」であり、且つ、未選択の変換可能ファイルが存在する場合には、Ｓ２０９にて「空き容量あり」を設定することで、後述するように次の変換対象ファイルのデータ変換が実行されるようにしている。
【００６０】
一方、変換対象ファイル設定が「バッテリ優先」、「日時優先」、「進捗優先」のいずれかであれば、変換対象ファイル設定が「メモリ優先」でないため（Ｓ２０５：ＮＯ）、ＲＡＭ１３の所定記憶エリアに「空き容量なし」が設定される（Ｓ２１１）。すなわち、変換対象ファイル設定が「メモリ優先」でない場合は、次の変換対象ファイルは現在の変換対象ファイルよりもファイルサイズが小さくなるとは限らないため、Ｓ２１１にて「空き容量なし」を設定することで、後述するようにデータ変換が中止されるようにしている。また、未選択の変換可能ファイルが存在しない場合は（Ｓ２０７：ＹＥＳ）、変換対象ファイル設定が「メモリ優先」であっても次の変換対象ファイルが存在しないため、上記と同様にＲＡＭ１３の所定記憶エリアに「空き容量なし」が設定される（Ｓ２１１）。
【００６１】
Ｓ２０９またはＳ２１１が実行されたのちはデータ変換処理（図５）に戻り、さらにメイン処理（図３）に戻る。そして、データ変換処理（Ｓ１３）に次いで、ＲＡＭ１３の所定記憶エリアを参照して、メモリカード３０に空き容量があるか否かが判断される（Ｓ１５）。Ｓ１５の判断は、ＲＡＭ１３の所定記憶エリアに設定された「空き容量なし」または「空き容量あり」に基づいて行われる。
【００６２】
ＲＡＭ１３の所定記憶エリアに「空き容量あり」が設定されている場合（Ｓ１５：ＹＥＳ）、メモリカード３０の特定フォルダ内に電子ファイルが格納されていないか否かが判断される（Ｓ１７）。特定フォルダ内に電子ファイルが格納されていない場合（Ｓ１７：ＹＥＳ）、特定フォルダ内に格納されていた電子ファイルが全て特定のデータ形式に変換された（つまり、全ての電子ファイルのそれぞれについて変換済ファイルが作成された）と判断される。そこで、メモリカード３０の保存用フォルダに格納されている変換済ファイルを選択可能に一覧表示するフォルダ表示画面が、表示パネル３に表示される（Ｓ１９）。ユーザは、このフォルダ表示画面において、例えばキャラクタキー６７を操作して任意の変換済ファイルを選択することで、その変換済ファイルに基づくドキュメントを閲覧することができる。
【００６３】
一方、特定フォルダ内に電子ファイルが格納されている場合（Ｓ１７：ＮＯ）、Ｓ１１に戻って、特定フォルダ内に変換可能ファイルがあるか否かが判断される。そして、先述と同様に、変換可能ファイルがあればデータ変換処理が実行される（Ｓ１１：ＹＥＳ、Ｓ１３）。このデータ変換処理（図５）では、未選択の変換可能ファイルのうちでファイルサイズが最も大きいファイル、言い換えると、前回の変換対象ファイルに次いでファイルサイズが大きいファイルが、変換対象ファイルに選択される（Ｓ５１）。そして、この変換対象ファイルについて、先述と同様のデータ変換（Ｓ５３〜Ｓ６３）またはメモリフル処理（Ｓ６５）が実行される。
【００６４】
このように、本実施形態では、メモリカード３０の特定フォルダ内に格納されている電子ファイルがなくなるまで、その電子ファイルが特定のデータ形式に順次変換される。そして、メモリカード３０の変換済フォルダ内に変換済ファイルが保存されるとともに、特定フォルダから変換元の電子ファイルが削除される。また、メモリカード３０の空き容量が不足した場合でも、他の電子ファイルに基づく変換済ファイルをその空き容量に書込み可能であれば、その電子ファイルが特定のデータ形式に順次変換される。これにより、メモリカード３０の空き容量を最大限に使用して、より多数の電子ファイルを特定のデータ形式に変換することができる。
【００６５】
なお、特定フォルダ内に変換可能ファイルがない場合は（Ｓ１１：ＮＯ）、データ変換を実行できない旨を示す変換不可画面が表示パネル３に表示されたのち（Ｓ２１）、先述のフォルダ表示画面が表示される（Ｓ１９）。これにより、特定フォルダ内に格納された電子ファイルのうちで変換可能ファイルのみが特定のデータ形式に変換されて、Ｓ１９のフォルダ表示画面には、その変換可能ファイルがなくなるまでに作成された変換済ファイルが一覧表示される。
【００６６】
また、ＲＡＭ１３の所定記憶エリアに「空き容量なし」が設定されている場合は（Ｓ１５：ＮＯ）、図８に例示するようなメモリフル画面３２が表示パネル３に表示されたのち（Ｓ２３）、先述のフォルダ表示画面が表示される（Ｓ１９）。図８に示すように、メモリフル画面３２では、メモリカード３０に変換済ファイルを格納するための空き容量がない旨が明示される。これにより、メモリカード３０の空き容量が完全に不足するまで、より多数の電子ファイルが特定のデータ形式に変換されて、Ｓ１９のフォルダ表示画面には、メモリカード３０の空き容量がなくなるまでに作成された変換済ファイルが一覧表示される。
【００６７】
Ｓ１９にてフォルダ表示画面が表示されると、ＬＥＤ表示部７が通常パターン（ここでは、非点灯状態）に表示制御されるとともに、操作部６でのキー操作が有効化されて、Ｓ１に戻る。そして、携帯端末１の電源がオフとされるまで、所定の実行タイミング（つまり、ＵＳＢケーブル９の抜脱あり、または、メモリカード３０の挿入あり）が検出されるごとに（Ｓ１、Ｓ３）、上記と同様にデータ変換が実行される（Ｓ５〜Ｓ１９）。
【００６８】
以上説明したように、本実施形態の携帯端末１では、メモリカード３０から取得された他のデータ形式の電子ファイルを特定のデータ形式に変換したときの予測ファイルサイズが算出される。その予測ファイルサイズがメモリカード３０の空き容量以下である場合、取得された電子ファイルが特定のデータ形式に変換されて、その変換済ファイルがメモリカード３０に記憶される。よって、他のデータ形式の電子ファイルを特定のデータ形式に変換したにも拘らず、その変換済ファイルを電子ファイルに記憶させることができなくなる不具合の発生を抑制することができる。
【００６９】
ところで、上記実施形態において、携帯端末１が本発明の「表示装置」に相当する。メモリカード３０が、本発明の「第一記憶装置」、「第二記憶装置」、「共通記憶装置」にそれぞれ相当する。Ｓ５１の変換対象選択処理（図６）を実行するＣＰＵ１１が、本発明の「未対応データ取得手段」に相当する。Ｓ５３を実行するＣＰＵ１１が、本発明の「変換後サイズ算出手段」に相当する。Ｓ５５を実行するＣＰＵ１１が、本発明の「第一容量判断手段」に相当する。Ｓ５７を実行するＣＰＵ１１が、本発明の「変換手段」および「変換データ記憶制御手段」にそれぞれ相当する。Ｓ６１を実行するＣＰＵ１１が、本発明の「完了判断手段」に相当する。Ｓ６３を実行するＣＰＵ１１が、本発明の「第一削除手段」に相当する。メモリカードＩ／Ｆ１７が、本発明の「装着手段」に相当する。Ｓ５９を実行するＣＰＵ１１が、本発明の「第二容量判断手段」に相当する。Ｓ２０３を実行するＣＰＵ１１が、本発明の「第二削除手段」に相当する。Ｓ１９を実行するＣＰＵ１１が、本発明の「変換済ファイル表示制御手段」に相当する。
【００７０】
また、Ｓ５１の変換対象選択処理（図６）が、本発明の「未対応データ取得ステップ」に相当する。Ｓ５３が、本発明の「変換後サイズ算出ステップ」に相当する。Ｓ５５が、本発明の「第一容量判断ステップ」に相当する。Ｓ５７が、本発明の「変換ステップ」および「変換データ記憶制御ステップ」にそれぞれ相当する。ＣＰＵ１１にメイン処理（図３）を実行させる制御プログラムが、本発明の「データ変換プログラム」に相当する。
【００７１】
なお、本発明は上記実施形態に限定されるものではなく、発明の要旨を変更しない範囲での変更が可能である。例えば、上記実施形態では、電気泳動方式の表示パネル３で画像表示が行われる携帯端末１を例示したが、公知の液晶ディスプレイ等で画像表示が行われる表示装置であってもよいし、デジタルフォトフレーム等の据え置き型の表示装置であってもよい。
【００７２】
また、上記実施形態では、メモリカード３０に変換前の電子ファイルおよび変換済ファイルをともに記憶させることで、携帯端末１自体に各種ファイルを保存するための記憶装置を設ける必要がなく、携帯端末１の薄型・軽量化や製造コストの抑制等が図られているが、これに限定されない。例えば、携帯端末１に各種ファイルを保存するための内蔵メモリを設けておき、この内蔵メモリに変換前の電子ファイルおよび変換済ファイルがともに記憶されるようにしてもよい。さらに、変換前の電子ファイルが記憶される記憶装置と、変換済ファイルが記憶される記憶装置とが異なっていてもよい。例えば、変換前の電子ファイルがメモリカード３０に記憶されており、その電子ファイルが変換された変換済ファイルが内蔵メモリに保存されるようにしてもよい。
【００７３】
また、上記実施形態では、メモリカード３０の保存用フォルダに変換済ファイルが格納されているが、変換済ファイルの格納位置は任意とすることができる。また、Ｓ１９のフォルダ表示画面では、変換済ファイルを選択可能に保存用フォルダが表示されるが、変換済ファイルが選択可能に表示されればよい。例えば、変換済ファイルがメモリカード３０のルートディレクトリに直接格納され、Ｓ１９のフォルダ表示画面では変換済ファイルを選択可能にルートディレクトリが表示されてもよい。
【００７４】
また、上記実施形態では、変換対象ファイル設定「メモリ優先」でない場合は「空き容量なし」が設定されてデータ変換が中止されるが（Ｓ２０５：ＮＯ、Ｓ１１１）、これに限定されない。例えば、メモリフル処理（図７）において、Ｓ２０５の判断を設けなくてもよい。これによれば、変換対象ファイル設定が「バッテリ優先」、「日時優先」、「進捗優先」のいずれかである場合にも、未選択ファイルが存在すれば「空き容量あり」が設定されるため（Ｓ２０７：ＹＥＳ、Ｓ２０９）、次の変換対象ファイルについてデータ変換が行われるようにすることができる。また、上記実施形態では、未選択の変換可能ファイルを変換対象ファイルとして１つずつ選択し（図６参照）、選択した１つの変換対象ファイルの変換が終了してから次の変換対象ファイルがまた１つ選択される。しかし、図６に示す変換対象選択処理では、変換対象ファイルが所定数取得されればよく、その所定数は１つに限られない。例えば、所定数の変換対象ファイルとして１度に複数の変換対象ファイルを選択してもよいし、選択される変換対象ファイルの所定数を変更できるようにしてもよい。
【符号の説明】
【００７５】
１    携帯端末
２    複合機
３    表示パネル
６    操作部
９    ＵＳＢケーブル
１０    制御基板
１１    ＣＰＵ
１２    ＲＯＭ
１３    ＲＡＭ
１４    ＥＥＰＲＯＭ
１５    表示コントローラ
１６    キーコントローラ
１７    メモリカードＩ／Ｆ
１８    ＵＳＢＩ／Ｆ
１９    電源コントローラ
３０    メモリカード
３１    変換中画面
３２    メモリフル画面
８０    バッテリ
【図１】
2010272017.tif 000003
【図２】
2010272017.tif 000004
【図３】
2010272017.tif 000005
【図４】
2010272017.tif 000006
【図５】
2010272017.tif 000007
【図６】
2010272017.tif 000008
【図７】
2010272017.tif 000009
【図８】
2010272017.tif 000010